(57)【要約】【課題】ハンドル操作等の特段の作業を伴わずに、照明灯の支持体に対するチルト角度の変更を簡易に行うことができる照明装置を提供することを目的とする。【解決手段】照明灯１０と、照明灯１０を上下方向に回動自在に支持するとともに固定構造物に取り付けられる支持体２０とを備え、照明灯１０に対する支持体２０の支持部３０を、照明灯１０と共働して照明灯１０と支持体２０とコイルばね３２とを両側からボルト３３により締結した構造とする。【選択図】        図２
2004200095.tif 000002
【特許請求の範囲】
【請求項１】
照明灯と、この照明灯を上下方向に回動自在に支持するとともに固定構造物に取り付けられる支持体とを備えた照明装置において、前記照明灯に対する前記支持体の支持部が、前記照明灯と共働して前記照明灯と前記支持体とコイルばねとを両側からボルトにより締結した構造であることを特徴とする照明装置。
【請求項２】
前記支持部において、照明灯と支持体との間に樹脂製のスペーサを介装したことを特徴とする請求項１に記載の照明装置。
【発明の詳細な説明】
【０００１】
【発明の属する技術分野】
本発明は、例えば野外運動設備の投光器などに好適に用いられる照明装置に係り、特に、照明灯の支持体に対するチルト角度の変更を簡易に行うことができる照明装置に関する。
【０００２】
【従来の技術】
この種の照明装置は、固定構造物（例えば鉄塔、壁など）に支持体を介して照明灯が取り付けられる構造が一般的である。また、上記照明装置は、支持体に対する照明灯のパン角度およびチルト角度の変更が可能であり、これにより、所望の方向に光を照射可能とされている。
【０００３】
このような照明装置には、照明灯と、照明灯を上下方向に回動自在に支持するとともに、固定構造物に取り付けられる支持体とを備えるとともに、支持体の側方にハンドルが取り付けられた構造のものが提案されている（例えば、特許文献１参照。）。
【０００４】
上記特許文献１に記載された照明装置は、照明灯と支持体とが、支持体の側方に設けられたねじ込み式のハンドルによって機械的に締結されている。このため、支持体に対する照明灯のチルト角度を変更する場合には、ハンドルを回転してねじを緩めることで照明灯と支持体との機械的締結を解除し、この状態の下で支持体に対するチルト角度の変更を行い、その後照明灯と支持体とをハンドルを回転してねじ込むことにより再び締結するようにしている。
【０００５】
【特許文献１】
特開２００２−２６０４３５号公報
【０００６】
【発明が解決しようとする課題】
したがって、この種の照明装置は、上述したように、チルト角度の変更に際して、ハンドルを回転させて照明灯と支持体との機械的締結を解除する等の特段の操作を伴うものであるため、作業者にとってチルト角度の変更作業が面倒であるという欠点があった。そこで、近年では、上記チルト角度の変更をより簡易に行うことができる照明装置の技術開発が要請されていた。
【０００７】
本発明は、上記要請に鑑みてなされたものであり、ハンドル操作等の特段の作業を伴わずに、照明灯の支持体に対するチルト角度の変更を簡易に行うことができる照明装置を提供することを目的としている。
【０００８】
【課題を解決するための手段】
本発明の照明装置は、照明灯と、この照明灯を上下方向に回動自在に支持するとともに固定構造物に取り付けられる支持体とを備え、照明灯に対する支持体の支持部が、照明灯と共働して照明灯と支持体とコイルばねとを両側からボルトにより締結した構造であることを特徴としている。
【０００９】
本発明の照明装置では、照明灯に対する支持体の支持部にコイルばねを介在させてボルトにより締結を行うので、コイルばねの弾性力によって照明灯と支持体とが互いに押圧され、両者の摩擦力によって照明灯が支持体に固定される。また、チルト角度の変更を行う場合には、コイルばねの作用の下に、照明灯を支持体に対して上下方向に回動させることで、作業者の意図したチルト角度が変更される。そして、照明灯を回動させた後には、上述したように、照明灯が支持体に固定されているため、照明灯を支持体に対して所定角度で保持することができる。このように、本発明の照明装置によれば、従来技術のように、ハンド操作等の特段の作業を必要とせずに、照明灯のチルト角度の変更を作業者の意図したとおりに行うことができるのみならず、その後も何らの作業も行わずに、照明灯を支持体に固定することができる。したがって、本発明の照明装置では、照明灯の支持体に対するチルト角度の変更を簡易に行うことができる。
【００１０】
また、このような照明装置においては、上記支持部において、照明灯と支持体との間に樹脂製のスペーサを介装することが望ましい。上述したように、支持体に対する照明灯のチルト角度の変更を行う場合には、作業者が支持体に対して照明灯を上下方向に回動する。通常、照明灯と支持体との接触部分はともに金属製であるため、チルト角度の変更を多数回行った場合には、照明灯と支持体との双方の接触面が摩滅により平滑化する。その結果、照明灯がその自重により下方へ回動し、照明灯の支持体に対する位置に狂いが生じる場合がある。この点、本発明の照明装置においては、照明灯と支持体との間に樹脂製のスペーサが配置されているので、上記チルト角度の変更時に照明灯と支持体との間における位置の狂いを防止するに十分な摩擦力が、照明灯とスペーサとの間、およびスペーサと支持体との間に確保される。このため、チルト角度の変更を多数回行った場合にも、上記したように、照明灯がその自重により下方へ回動することはないので、チルト角度変更時に照明灯と支持体との位置の狂いを防止することができる。
【００１１】
【発明の実施の形態】
以下に、本発明の実施形態を図面を参照して説明する。
図１は、本発明の照明装置の一の実施形態を示す図であり、図１（ａ）はその背面図であって、図１（ｂ）はその側面図である。図１（ａ），（ｂ）において、符号１０は照明灯であり、２０は照明灯１０を支持するとともに、鉄塔、壁等の固定構造物（図示せず）に取り付けられる支持体である。
【００１２】
図１（ａ）,（ｂ）において、照明灯１０は、照明灯本体１１と、照明灯本体１１に連結された反射体１２とを備える。照明灯本体１１にはソケット支持筒１１ａが取り付けられており、ソケット支持筒１１ａには光源となる電球（図示せず）が装着されている。反射体１２は椀状をなし、その内面には光源からの光を効率的に反射できる凹凸部１２ａが形成されている。また反射体１２の両側方には、支持体２０とともに支持部３０（図の点線部）を構成するボス１２ｂが固定されている。
【００１３】
これに対し、支持体２０は、図１（ａ），（ｂ）に示すように、固定構造物に取り付けられる固定部２０ａと、固定部２０ａから両側方に連なり、照明灯１０のボス１２ｂとともに支持部３０を構成する２つの脚部２０ｂとから構成されている。固定部２０ａにはその中央部に開口（図示せず）が設けられており、この開口がねじ孔の役割を担うことで、支持体２０を例えばボルトにより固定構造物に取り付けることができる。
【００１４】
図２は、図１（ａ）に示した支持部３０の拡大図であって、ボス１２ｂと脚部２０ｂとの結合態様を詳細に示す図である。図２において、ボス１２ｂと脚部２０ｂとの間には樹脂製の２個のスペーサ３１が配置されているとともに、脚部２０ｂのスペーサ３１と反対側にはコイルばね３２が配置されている。コイルばね３２には、ボルト３３が挿通され、その先端部はボス１２ｂに形成されたねじ孔１２ｃに螺合されている。ボルト３３の先端はボス１２ｂから突出し、そこにはナット３４が螺合させられている。このナット３４は、ボルト３３の回り止めの機能を有する。
【００１５】
次に、上記構成の支持部３０を有する照明装置において、支持体２０に対する照明灯１０のチルト角度を変更する手順について説明する。
図２に示す支持部３０において、ボルト３３とボス１２ｂのねじ孔１２ｃとによる螺合により、ボス１２ｂが脚部２０ｂに固定されている。この状態から、固定構造物（図示せず）に取り付けられた支持体２０の脚部２０ｂに対して、照明灯本体１１のチルト角度を変更する場合には、脚部２０ｂとボルト３３との間に配置されたコイルばね３２の作用の下に、作業者が照明灯１０を上下方向に回動する。これにより、作業者が意図した方向に光源からの光を照射することができる。そして、チルト角度の変更を行った後は、ボス１２ｂが脚部２０ｂに固定されているので、照明灯１０を支持体２０に対して所定角度で保持することができる。このように、図１および図２に示す本発明の照明装置によれば、従来技術のようにハンドル操作等の特段の作業を伴わずに、照明灯１０を支持体２０に固定することができ、照明灯１０の支持体２０に対するチルト角度の変更を簡易に行うことができる。
【００１６】
また、図１および図２に示した装置においては、上述したように、支持体２０に対する照明灯１０のチルト角度の変更を行うに際し、作業者が支持体２０に対して照明灯１０を上下方向に回動する。通常、支持部３０のボス１２ｂと脚部２０ｂとの双方の接触部分はともに金属製であるため、ボス１２ｂと脚部２０ｂとの間に何らの部材も介在していなければ、ボス１２ｂと脚部２０ｂとの双方の接触面の平滑化を招き、その結果、照明灯１０がその自重により下方へ回動し、ボス１２ｂと脚部２０ｂとの位置に狂いが生じる場合がある。しかしながら、図２に示す支持部３０を有する照明装置においては、ボス１２ｂと脚部２０ｂとの間に樹脂製のスペーサ３１が配置されているので、ボス１２ｂとスペーサ３１との間およびスペーサ３１と脚部２０ｂとの間において十分な摩擦力を確保することができる。このため、多数回のチルト角度変更を行った場合にも、照明灯１０がその自重により下方へ回動することはないので、チルト角度の変更時にボス１２ｂと脚部２０ｂとの位置の狂いが生ずることはない。
【００１７】
【発明の効果】
以上説明したように、本発明によれば、照明灯に対する支持体の支持部を、照明灯と共働して照明灯と支持体とコイルばねとをそれらの両側からボルトおよびナットにより締結した構造とすることにより、従来技術のようにハンドル操作等の特段の作業を伴わずに、照明灯の支持体に対するチルト角度の変更を簡易に行うことができる。よって本発明は、作業効率上好適な照明装置を製造することができる点で有望である。
【図面の簡単な説明】
【図１】本発明の照明装置を示す、（ａ）は背面図であり、（ｂ）は側面図である。
【図２】図１に示した支持部３０を示す拡大図である。
【符号の説明】
１０…照明灯、１１…照明灯本体、１１ａ…ソケット支持筒、１２…反射体、１２ａ…凹凸部、１２ｂ…ボス、１２ｃ…ねじ孔、２０支持体、２０ａ…固定部、２０ｂ…脚部、３０…支持部、３１…スペーサ、３２…コイルばね、３３…ナット、３４…ボルト。
【図１】
2004200095.tif 000003
【図２】
2004200095.tif 000004